(57)【要約】【課題】スプリッタフィルタ内蔵型モデムが配置された場合でも、工数をかけずに、音声帯域に共振点が発生することを防止できる、ｘＤＳＬ回線用フィルタおよびその使用方法を提供する。【解決手段】ハイパスフィルタ回路部１と、可飽和トランス部２とで構成されたｘＤＳＬ回線用フィルタ１０であって、前記ハイパスフィルタ回路部１は、電話回線側から、一方のライン上に配置された第１のコンデンサＣ１と、他方のライン上に配置された第２のコンデンサＣ２とで構成されており、また、前記可飽和トランス部２において、その電話回線側の端子は、第１のインダクタＬ１、および第２のインダクタＬ２を介して、電話回線に接続され、他方の端子は、スプリッタフィルタに接続されたｘＤＳＬ回線用フィルタとする。【選択図】  図１
2004336517.tif 000002
【特許請求の範囲】
【請求項１】
ハイパスフィルタ回路部と、可飽和トランス部とで構成されたｘＤＳＬ回線用フィルタであって、前記ハイパスフィルタ回路部は、電話回線側から、一方のライン上に配置された第１のコンデンサと、他方のライン上に配置された第２のコンデンサとで構成されており、前記可飽和トランス部において、前記電話回線側の端子は、第１のインダクタ、および第２のインダクタを介して、電話回線に接続され、他方の端子は、スプリッタフィルタに接続されたことを特徴とするｘＤＳＬ回線用フィルタ。
【請求項２】
前記可飽和トランス部は、磁性体コアと、トランス巻線構造にて形成された、各ライン上に配置されるインダクタＬＸと、インダクタＬＹと、前記インダクタＬＸに並列接続された抵抗Ｒｘと、前記インダクタＬＹに並列接続された抵抗Ｒｙとで構成されたことを特徴とする請求項１に記載のｘＤＳＬ回線用フィルタ。
【請求項３】
ハイパスフィルタ回路部と、ダイオード回路部とで構成されたｘＤＳＬ回線用フィルタであって、前記ハイパスフィルタ回路部は、電話回線側から、一方のライン上に配置された第１のコンデンサと、他方のライン上に配置された第２のコンデンサとで構成されており、前記ダイオード回路部において、前記電話回線側の端子は、第１のインダクタ、および第２のインダクタを介して、電話回線に接続され、他方の端子は、スプリッタフィルタに接続されており、一方のライン上に、ダイオードＤ１とダイオードＤ２の逆極性の並列接続と、コンデンサＣ３と抵抗Ｒ１が並列接続された回路部が配置され、他方のライン上に、ダイオードＤ３とダイオードＤ４の逆極性の並列接続と、コンデンサＣ４と抵抗Ｒ２が並列接続された回路部が配置されたことを特徴とするｘＤＳＬ回線用フィルタ。
【請求項４】
電話回線から宅内配線にて分岐された、第１の分岐回線と、第２の分岐回線があり、前記第１の分岐回線では、電話回線側から、前記ｘＤＳＬ回線用フィルタと、スプリッタフィルタ内蔵型モデムを順番に接続し、前記スプリッタフィルタ内蔵型モデムには、パソコンと第１の電話機を接続し、前記第２の分岐回線では、電話回線側から、電話機用フィルタと、第２の電話機を接続することを特徴とする請求項１ないし３のいずれかに記載のｘＤＳＬ回線用フィルタの使用方法。
【請求項５】
前記電話機用フィルタは、可飽和トランス内蔵型ローパスフィルタ、あるいはダイオード回路内蔵型ローパスフィルタ、あるいは１段型ローパスフィルタの少なくとも１つとすることを特徴とする請求項４に記載のｘＤＳＬ回線用フィルタの使用方法。
【発明の詳細な説明】
【０００１】
【発明の属する技術分野】
本発明は、主として、ｘＤＳＬ回線に使用されるのに好適なｘＤＳＬ回線用フィルタおよびその使用方法に関する。
【０００２】
【従来の技術】
従来、ｘＤＳＬ回線に使用されるスプリッタフィルタは、ローパスフィルタ回路によってｘＤＳＬ回線におけるデジタルと音声の混合信号から、音声信号を分離し、この分離された音声信号を電話機に送り、もとのデジタル信号をモデムに送る機能を有している。
【０００３】
図８は、従来例によるスプリッタフィルタの使用方法の説明図である。図８（ａ）は、スプリッタフィルタとモデムとが別々の場合の例であり、図８（ｂ）は、スプリッタフィルタ内蔵型モデムを少なくとも１個、使用する場合の例である。
【０００４】
【発明が解決しようとする課題】
ここで、  図８（ａ）、図８（ｂ）の使用方法の場合、電話機７ｂ，７ｃのいずれか一つが使用されている場合、また電話機７ｄ，７ｅのいずれか一つが使用されている場合に、音声帯域の１．５ｋＨｚ近傍に、共振点が発生し、電話機の聞き取りが著しく困難となる。
【０００５】
図９は、図８に示す従来のスプリッタフィルタを使用した場合の、損失対周波数特性の説明図であり、音声帯域の１．５ｋＨｚ近傍に、共振点が発生している。前記共振点が発生する原因は、図８（ａ）の場合は、スプリッタフィルタ６ａと、スプリッタフィルタ６ｂ間のローパスフィルタ回路素子のお互いの干渉にある。また、図８（ｂ）の場合は、スプリッタフィルタ内蔵型モデム５ａ内部のスプリッタフィルタと、スプリッタフィルタ６ｃ間のローパスフィルタ回路素子のお互いの干渉にある。図８（ａ）に対する、解決するためのスプリッタフィルタとしては、特許文献１に、その内容が記載されている。
【０００６】
図７は、特許文献１に示されている可飽和トランスを配置したスプリッタフィルタの説明図である。図７の可飽和トランスを配置したスプリッタフィルタ２００は、ローパスフィルタ部の前段１００ａとローパスフィルタ部の後段１００ｂの間に、可飽和トランス部２１を配置した構成である。この構成により、電話機が使用されていない時には、回線電流が流れないので、インダクタＬＸ１とＬＹ１とは、高いインピーダンスとなり、ローパスフィルタ部の後段１００ｂの影響がほとんど無視できることとなる。
【０００７】
【特許文献１】
特願平２００２−１０９８５３号公報
【０００８】
そこで、  図８（ａ）の使用方法の場合は、２個の通常のスプリッタフィルタを、図７の可飽和トランスを配置したスプリッタフィルタに交換すれば、共振点を防止できることとなる。
【０００９】
しかし、  図８（ｂ）の使用方法の場合は、スプリッタフィルタ内蔵型モデム５ａを使用しているので、  図７の可飽和トランスを配置したスプリッタフィルタに交換する場合、基板交換等の処理が必要となり、多大な工数がかかっていた。
【００１０】
その結果、基板を交換しないで使用する図９に示すように、１．５ｋＨｚ近傍の周波数帯域において共振点が生じるのを防止できなかった。
【００１１】
従って、本発明の目的は、スプリッタフィルタ内蔵型モデムが配置された場合でも、工数をかけずに、音声帯域に共振点が発生することを防止できる、ｘＤＳＬ回線用フィルタおよびその使用方法を提供することにある。
【００１２】
【課題を解決するための手段】
本発明のｘＤＳＬ回線用フィルタは、ハイパスフィルタ回路部と、可飽和トランス部とで構成されたｘＤＳＬ回線用フィルタであって、前記ハイパスフィルタ回路部は、電話回線側から、一方のライン上に配置された第１のコンデンサＣ１と、他方のライン上に配置された第２のコンデンサＣ２とで構成されており、また、前記可飽和トランス部において、前記電話回線側の端子は、第１のインダクタＬ１、および第２のインダクタＬ２を介して、電話回線に接続され、他方の端子は、スプリッタフィルタに接続されたｘＤＳＬ回線用フィルタとする。
【００１３】
また、本発明は、前記可飽和トランス部を、磁性体コアと、トランス巻線構造にて形成された、各ライン上に配置されるインダクタＬＸと、インダクタＬＹと、前記インダクタＬＸに並列接続された  抵抗Ｒｘと、前記インダクタＬＹに並列接続された抵抗Ｒｙとで構成したｘＤＳＬ回線用フィルタである。
【００１４】
また、本発明は、ハイパスフィルタ回路部と、ダイオード回路部とで構成されたｘＤＳＬ回線用フィルタであって、前記ハイパスフィルタ回路部は、電話回線側から、一方のライン上に配置された第１のコンデンサＣ１と、他方のライン上に配置された第２のコンデンサＣ２とで構成されており、前記ダイオード回路部において、前記電話回線側の端子は、第１のインダクタＬ１、および第２のインダクタＬ２を介して、電話回線に接続され、他方の端子は、スプリッタフィルタに接続されており、一方のライン上に、ダイオードＤ１とダイオードＤ２の逆極性の並列接続と、コンデンサＣ３と抵抗Ｒ１が並列接続された回路部が配置され、また、他方のライン上に、ダイオードＤ３とダイオードＤ４の逆極性の並列接続と、コンデンサＣ４と抵抗Ｒ２が並列接続された回路部が配置されたｘＤＳＬ回線用フィルタである。
【００１５】
また、本発明は、電話回線から宅内配線にて分岐された、第１の分岐回線と、第２の分岐回線があり、前記第１の分岐回線では、電話回線側から、前記ｘＤＳＬ回線用フィルタと、スプリッタフィルタ内蔵型モデムを順番に接続し、前記スプリッタフィルタ内蔵型モデムには、パソコンと第１の電話機を接続し、前記第２の分岐回線では、電話回線側から、電話機用フィルタと、第２の電話機を接続するｘＤＳＬ回線用フィルタの使用方法である。
【００１６】
また、本発明は、前記電話機用フィルタは、可飽和トランス内蔵型ローパスフィルタ、あるいはダイオード回路内蔵型ローパスフィルタ、あるいは１段型ローパスフィルタの少なくとも１つとするｘＤＳＬ回線用フィルタの使用方法である。
【００１７】
【発明の実施の形態】
本発明の実施の形態によるｘＤＳＬ回線用フィルタおよびその使用方法について、以下に説明する。
【００１８】
（実施の形態１）
図１は、本発明の実施の形態１によるｘＤＳＬ回線用フィルタの説明図である。図１に示すｘＤＳＬ回線用フィルタは、ハイパスフィルタ回路部１と、可飽和トランス部２とで構成されたｘＤＳＬ回線用マルチ接続対応フィルタであって、前記ハイパスフィルタ回路部１は、電話回線側から、一方のライン上に配置された第１のコンデンサＣ１と、他方のライン上に配置された第２のコンデンサＣ２とで構成されており、また、前記可飽和トランス部において、電話回線側の端子は、第１のインダクタＬ１、および第２のインダクタＬ２を介して、電話回線側の端子に接され、他方の端子は、スプリッタフィルタ側端子に接続されたｘＤＳＬ回線用フィルタである。
【００１９】
また、前記可飽和トランス部は、磁性体コアと、トランス巻線と、抵抗にて形成されており、各ライン上に配置されるインダクタＬＸと、インダクタＬＹと、前記インダクタＬＸに並列接続された  抵抗Ｒｘと、前記インダクタＬＹに並列接続された抵抗Ｒｙとで構成されている。
【００２０】
図２は、本発明の実施の形態１によるｘＤＳＬ回線用フィルタにて使用される可飽和トランス部２の可飽和トランスの説明図である。図２に示すように、可飽和トランス２０は、高透磁率磁性材料からなるフェライトコア１１ａ，１１ｂを合体させて、内部にトランス巻線２１ａ，２１ｂ  を施した構造である。
【００２１】
ここで、高透磁率磁性材料からなるフェライトコア１１ａ，１１ｂの透磁率は、４０００から１５０００の範囲に設定され、またトランス巻線２１ａ，２１ｂのターン数は、電話回線直流電流（通常５ｍＡから１０ｍＡ程度）にてフェライトコア１１ａ，１１ｂが、磁気飽和するように設定される。
【００２２】
このように設定することによって、電話機の受話器が持ち上げられ（ＯＦＦフック）、電話回線直流電流が、可飽和トランスに流れた時には、フェライトコア１１ａ，１１ｂが磁気飽和して、トランス巻線２１ａ，２１ｂに相当するインダクタＬＸとＬＹとは、そのインピーダンスが、非常の低い値を示す。
【００２３】
また、電話機の受話器が置かれている（ＯＮフック）時は、電話回線直流電流は、０ｍＡのため、フェライトコア１１ａ，１１ｂの高透磁率磁性材料として機能が生かされ、トランス巻線２１ａ，２１ｂに相当するインダクタＬＸとＬＹは、高インピーダンスとなる。その結果、この場合は、インダクタＬＸに並列接続された抵抗ＲＸとインダクタＬＹに並列接続された抵抗ＲＹが支配的になる。
【００２４】
図４は、本発明の実施の形態１によるｘＤＳＬ回線用フィルタの使用方法の説明図である。図４に示すように、電話回線から宅内配線にて分岐された、第１の分岐回線と、第２の分岐回線があり、前記第１の分岐回線では、本発明の  ｘＤＳＬ回線用フィルタ４と、スプリッタフィルタ内蔵型モデム５とが順番に接続され、スプリッタフィルタ内蔵型モデム５からは、電話機７と、パソコン９が接続され、また、第２の分岐回線では、電話機用フィルタ４１と電話機７ａとが順番に接続されている。
【００２５】
ここで、第１の分岐回線では、電話回線からの、デジタル信号は、ｘＤＳＬ回線用フィルタ４のハイパスフィルタ回路部を通過し、また音声信号は、ｘＤＳＬ回線用フィルタ４の可飽和トランス部を通過する。
【００２６】
図５は、図４に示す電話機用フィルタの説明図である。図５（ａ）は、可飽和トランス内蔵型のローパスフィルタの場合の説明図であり、図５（ｂ）は、ダイオード回路部内蔵型のローパスフィルタの場合の説明図であり、図５（ｃ）は、１段型ローパスフィルタの場合の説明図である。電話機用フィルタとしては、図５（ａ）に示す可飽和トランス内蔵型のローパスフィルタ、図５（ｂ）に示すダイオード回路部内蔵型のローパスフィルタ、図５（ｃ）に示す１段型ローパスフィルタの中で、いずれか一つが選択される。
【００２７】
ここで、  図５（ａ）の電話機用フィルタは、可飽和トランス部２２によって、ローパスフィルタ部の後段１０１ｂの回路素子の、第１の分岐回線に対する影響を軽減し、また、図５（ｂ）の電話機用フィルタは、ダイオード回路部３１によって、ローパスフィルタ部の後段１０２ｂの回路素子の、第１の分岐回線に対する影響を軽減している。また、図５（ｃ）の電話機用フィルタは、１段型ローパスフィルタのため、その共振点が４ｋＨｚより十分高いので、音声周波数帯域には影響を与えず、従って、第１の分岐回線には影響を与えない。
【００２８】
これによって、図４に示すように、ｘＤＳＬ回線用フィルタ４と、スプリッタフィルタ内蔵型モデム５との間は、電気的に高インピーダンス状態となり、またｘＤＳＬ回線用フィルタ４と、電話機用フィルタ４１との間は、電気的に高インピーダンス状態となり、従って、共振点での減衰量は抑制される。
【００２９】
図６は、本発明の実施の形態１によるｘＤＳＬ回線用フィルタの使用による、損失対周波数特性の説明図である。図６に示す実線の特性が、実施の形態１のｘＤＳＬ回線用フィルタの特性であり、共振点での減衰量は、著しく減少しており、実使用上は、問題のない範囲である。ここで、共振点が、１．５ｋＨｚ近傍から０．８ｋＨｚ近傍に移動したのは、可飽和トランス部のインダクタＬＸと、インダクタＬＹの影響による。
【００３０】
（実施の形態２）
図３は、本発明の実施の形態２によるｘＤＳＬ回線用フィルタの説明図である。図３に示す実施の形態２のｘＤＳＬ回線用フィルタ１０ａは、ハイパスフィルタ回路部１ａと、ダイオード回路部３とで構成されたｘＤＳＬ回線用マルチ接続対応フィルタであって、前記ハイパスフィルタ回路部１ａは、電話回線側から、一方のライン上に配置された第１のコンデンサＣ１と、他方のライン上に配置された第２のコンデンサＣ２とで構成されいる。
【００３１】
また、前記ダイオード回路部３において、その電話回線側の端子は、インダクタＬ１、およびＬ２を介して、電話回線側の端子に接され、他方の端子は、スプリッタフィルタ側端子に接続されている。一方のライン上に、ダイオードＤ１とダイオードＤ２の逆極性の並列接続と、さらにコンデンサＣ５と抵抗Ｒ１が並列接続された回路部が配置され、また、他方のライン上に、ダイオードＤ３とダイオードＤ４の逆極性の並列接続と、さらにコンデンサＣ６と抵抗Ｒ２が並列接続された回路部が配置されたｘＤＳＬ回線用フィルタである。
【００３２】
ここで、ダイオードＤ１とダイオードＤ２、ダイオードＤ３とダイオードＤ４は、回線電流以上では、整流特性の導通状態を示し、回線電流以下では、非導通状態を示す。ダイオードＤ１とダイオードＤ２が逆極性の並列接続であり、またダイオードＤ３とダイオードＤ４も逆極性の並列接続であるので、電話機が使用されていない時は、ダイオードスタック部のインピーダンスが高くなり、スプリッタフィルタの回路素子の影響を、なくす効果を示す。
【００３３】
なお、実施の形態２によるｘＤＳＬ回線用フィルタの使用方法は、先の図４と同一である。
【００３４】
図６に示す点線の特性が、実施の形態２のｘＤＳＬ回線用フィルタの特性であり、共振点はなくなり、平坦な特性となっており、実使用上は、問題のない範囲である。ここで、共振点がなくなり、特性が平坦となったのは、ダイオードＤ１とダイオードＤ２が逆極性の並列接続と、ダイオードＤ３とダイオードＤ４の逆極性の並列接続の作用による。
【００３５】
【発明の効果】
以上、本発明によれば、スプリッタフィルタ内蔵型モデムが配置されていても、工数をかけずに、音声帯域に共振点を防止できるｘＤＳＬ回線用フィルタおよびその使用方法を提供できる。
【図面の簡単な説明】
【図１】本発明の実施の形態１によるｘＤＳＬ回線用フィルタの説明図。
【図２】図１のｘＤＳＬ回線用フィルタに使用される可飽和トランスの説明図。
【図３】本発明の実施の形態２によるｘＤＳＬ回線用フィルタの説明図。
【図４】本発明の実施の形態１および実施の形態２によるｘＤＳＬ回線用フィルタの使用方法の説明図。
【図５】電話機用フィルタの説明図。図５（ａ）は、可飽和トランス内蔵型のローパスフィルタの場合の説明図、図５（ｂ）は、ダイオード回路部内蔵型のローパスフィルタの場合の説明図、図５（ｃ）は、１段型ローパスフィルタの場合の説明図。
【図６】本発明のｘＤＳＬ回線用フィルタの使用方法による、損失対周波数特性の説明図。
【図７】従来例による可飽和トランス内蔵型のスプリッタフィルタの説明図。
【図８】従来例によるスプリッタフィルタの使用方法の説明図。図８（ａ）は、スプリッタフィルタとモデムとが別々の場合の例を示す図、図８（ｂ）は、スプリッタフィルタ内蔵型モデムを少なくとも１個、使用する場合の例を示す図。
【図９】図８の従来の可飽和トランスを内蔵していないスプリッタフィルタを複数個使用した場合の損失対周波数特性の説明図。
【符号の説明】
１，１ａ    ハイパスフィルタ回路部
２，２１，２２    可飽和トランス部
３，３１    ダイオード回路部
４，４ａ，１０，１０ａ    ｘＤＳＬ回線用フィルタ
４１    電機話用フィルタ
４１ａ    電話機用フィルタ（可飽和トランス内蔵型のローパスフィルタの場合）
４１ｂ    電話機用フィルタ（ダイオード回路内蔵型のローパスフィルタの場合）４１ｃ    電話機用フィルタ（１段型ローパスフィルタの場合）
２０    可飽和トランス
１１ａ，１１ｂ    フェライトコア
２１ａ，２１ｂ    トランス巻線
５，５ａ    スプリッタフィルタ内蔵型モデム
６ａ，６ｂ，６ｃ    スプリッタフィルタ
７，７ａ，７ｂ，７ｃ，７ｄ，７ｅ    電話機
８，８ａ，８ｂ    モデム
９，９ａ，９ｂ    パソコン
２００    過飽和トランスを配置したスプリッタフィルタ
１００ａ，１０１ａ，１０２ａ    ローパスフィルタ部の前段
１００ｂ，１０１ｂ，１０２ｂ    ローパスフィルタ部の後段
Ｃ１    第１のコンデンサ
Ｃ２    第２のコンデンサ
Ｃ３，Ｃ４    コンデンサ
Ｄ１，Ｄ２，Ｄ３，Ｄ４    ダイオード
Ｌ１    第１のインダクタ
Ｌ２    第２のインダクタ
Ｌ１１，Ｌ２１，Ｌ３１，Ｌ４１    インダクタ
Ｌｘ，Ｌｙ，Ｌｘ１，Ｌｙ１    インダクタ
【図１】
2004336517.tif 000003
【図２】
2004336517.tif 000004
【図３】
2004336517.tif 000005
【図４】
2004336517.tif 000006
【図５】
2004336517.tif 000007
【図６】
2004336517.tif 000008
【図７】
2004336517.tif 000009
【図８】
2004336517.tif 000010
【図９】
2004336517.tif 000011